【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
クロック装置であって、
蒸気セルであって、
伝導性内部キャビティ表面を備える密封された内部と、前記キャビティに電磁場入口を提供するための前記内部キャビティ表面における第１の非伝導性開口と、前記キャビティからの電磁場出口を提供するための前記内部キャビティ表面における前記第１の非伝導性開口から離間された第２の非伝導性開口とを含む、キャビティと、
前記キャビティの前記密封された内部の内側の双極分子ガスと、
前記第１の非伝導性開口の近くの前記蒸気セルの外側表面上に形成された第１の伝導性結合構造と、
前記第２の非伝導性開口の近くの前記蒸気セルの前記外側表面上に形成された第２の伝導性結合構造と、
を含む、前記蒸気セルと、
電磁場を前記キャビティの前記内部に結合するための前記第１の伝導性結合構造に交流電気出力信号を提供するトランシーバ回路であって、前記キャビティから受け取る前記電磁場を表す前記第２の伝導性結合構造からの交流電気入力信号を受け取り、前記電気入力信号を低減するように前記電気出力信号の周波数を選択的に調整し、前記電気出力信号の前記周波数において基準クロック信号を提供する、前記トランシーバ回路と、
を含み、
前記キャビティが第１の端部から第２の端部へ非線形軸に沿って延び、前記第１の非伝導性開口が前記第１の端部に近く、前記第２の非伝導性開口が前記第２の端部に近い、クロック装置。
【請求項２】
クロック装置であって、
蒸気セルであって、
伝導性内部キャビティ表面を備える密封された内部と、前記キャビティに電磁場入口を提供するための前記内部キャビティ表面における第１の非伝導性開口と、前記キャビティからの電磁場出口を提供するための前記内部キャビティ表面における前記第１の非伝導性開口から離間された第２の非伝導性開口とを含む、キャビティと、
前記キャビティの前記密封された内部の内側の双極分子ガスと、
前記第１の非伝導性開口の近くの前記蒸気セルの外側表面上に形成された第１の伝導性結合構造と、
前記第２の非伝導性開口の近くの前記蒸気セルの前記外側表面上に形成された第２の伝導性結合構造と、
を含む、前記蒸気セルと、
電磁場を前記キャビティの前記内部に結合するための前記第１の伝導性結合構造に交流電気出力信号を提供するトランシーバ回路であって、前記キャビティから受け取る前記電磁場を表す前記第２の伝導性結合構造からの交流電気入力信号を受け取り、前記電気入力信号を低減するように前記電気出力信号の周波数を選択的に調整し、前記電気出力信号の前記周波数において基準クロック信号を提供する、前記トランシーバ回路と、
を含み、
前記キャビティが、
前記キャビティへの別の電磁場入口を提供するための、前記内部キャビティ表面における前記第１の非伝導性開口から離間された第３の非伝導性開口と、
前記キャビティからの別の電磁場出口を提供するための、前記内部キャビティ表面における前記第２の非伝導性開口から離間された第４の非伝導性開口と、
を更に含み、
前記第１の伝導性結合構造が前記第１及び第３の非伝導性開口に近く、
前記第２の伝導性結合構造が前記第２及び第４の非伝導性開口に近い、クロック装置。
【請求項３】
クロック装置であって、
蒸気セルであって、
伝導性内部キャビティ表面を備える密封された内部と、前記キャビティに電磁場入口を提供するための前記内部キャビティ表面における第１の非伝導性開口と、前記キャビティからの電磁場出口を提供するための前記内部キャビティ表面における前記第１の非伝導性開口から離間された第２の非伝導性開口とを含む、キャビティと、
前記キャビティの前記密封された内部の内側の双極分子ガスと、
前記第１の非伝導性開口の近くの前記蒸気セルの外側表面上に形成された第１の伝導性結合構造と、
前記第２の非伝導性開口の近くの前記蒸気セルの前記外側表面上に形成された第２の伝導性結合構造と、
を含む、前記蒸気セルと、
電磁場を前記キャビティの前記内部に結合するための前記第１の伝導性結合構造に交流電気出力信号を提供するトランシーバ回路であって、前記キャビティから受け取る前記電磁場を表す前記第２の伝導性結合構造からの交流電気入力信号を受け取り、前記電気入力信号を低減するように前記電気出力信号の周波数を選択的に調整し、前記電気出力信号の前記周波数において基準クロック信号を提供する、前記トランシーバ回路と、
前記蒸気セルの前記外側表面に沿って結合する電磁波を減衰するために、前記第１の伝導性結合構造と前記第２の伝導性結合構造との間に、前記第１の伝導性結合構造と前記第２の伝導性結合構造とから離間されて、前記蒸気セルの前記外側表面上に形成される、少なくとも１つの伝導性電子バンドギャップ構造と、
を含む、クロック装置。
【請求項４】
クロック装置であって、
蒸気セルであって、
伝導性内部キャビティ表面を備える密封された内部と、前記キャビティに電磁場入口を提供するための前記内部キャビティ表面における第１の非伝導性開口と、前記キャビティからの電磁場出口を提供するための前記内部キャビティ表面における前記第１の非伝導性開口から離間された第２の非伝導性開口とを含む、キャビティと、
前記キャビティの前記密封された内部の内側の双極分子ガスと、
前記第１の非伝導性開口の近くの前記蒸気セルの外側表面上に形成された第１の伝導性結合構造と、
前記第２の非伝導性開口の近くの前記蒸気セルの前記外側表面上に形成された第２の伝導性結合構造と、
を含む、前記蒸気セルと、
電磁場を前記キャビティの前記内部に結合するための前記第１の伝導性結合構造に交流電気出力信号を提供するトランシーバ回路であって、前記キャビティから受け取る前記電磁場を表す前記第２の伝導性結合構造からの交流電気入力信号を受け取り、前記電気入力信号を低減するように前記電気出力信号の周波数を選択的に調整し、前記電気出力信号の前記周波数において基準クロック信号を提供する、前記トランシーバ回路と、
を含み、
前記トランシーバ回路が、
前記交流電気出力信号を前記第１の伝導性結合構造に提供し、前記電気出力信号の周波数で前記基準クロック信号を提供するために、前記第１の伝導性結合構造と電気的に結合される出力を備える信号生成器と、
前記交流電気入力信号を受け取り、前記電気入力信号と前記電気出力信号との間の差を表す誤差信号を提供するために、前記第２の伝導性結合構造と電気的に結合される入力を備えるロックイン増幅器と、
前記誤差信号を受け取り、前記電気出力信号の周波数を前記キャビティの前記密封された内部の内側の前記双極分子ガスのピーク吸収周波数で維持するように前記電気出力信号の周波数を選択的に調整するために、制御出力信号を前記信号生成器に提供するためのループフィルタと、
を含む、クロック装置。
【請求項５】
クロック装置であって、
蒸気セルであって、
伝導性内部キャビティ表面を備える密封された内部と、前記キャビティに電磁場入口を提供するための前記内部キャビティ表面における第１の非伝導性開口と、前記キャビティからの電磁場出口を提供するための前記内部キャビティ表面における前記第１の非伝導性開口から離間された第２の非伝導性開口とを含む、キャビティと、
前記キャビティの前記密封された内部の内側の双極分子ガスと、
前記第１の非伝導性開口の近くの前記蒸気セルの外側表面上に形成された第１の伝導性結合構造と、
前記第２の非伝導性開口の近くの前記蒸気セルの前記外側表面上に形成された第２の伝導性結合構造と、
を含む、前記蒸気セルと、
電磁場を前記キャビティの前記内部に結合するための前記第１の伝導性結合構造に交流電気出力信号を提供するトランシーバ回路であって、前記キャビティから受け取る前記電磁場を表す前記第２の伝導性結合構造からの交流電気入力信号を受け取り、前記電気入力信号を低減するように前記電気出力信号の周波数を選択的に調整し、前記電気出力信号の前記周波数において基準クロック信号を提供する、前記トランシーバ回路と、
を含み、
前記蒸気セルが、
第１の側と、前記第１の側の内方に向けて延びる少なくとも１つのキャビティ側壁と、キャビティ底部とを含む第１の基板と、
第１の側と、キャビティ頂部を含む第２の側を含む第２の基板であって、前記少なくとも１つのキャビティ側壁と前記キャビティ底部と前記第２の基板の前記第２の側とに少なくとも部分的に沿って延びる前記伝導性内部キャビティ表面を備える前記密封された内部を含む前記キャビティを形成するように、前記第２の基板の前記第２の側が前記第１の基板の前記第１の側に取り付けられる、前記第２の基板と、
を更に含み、
前記第１及び第２の非伝導性開口が、それぞれ、前記電磁場入口及び出口を提供するために、前記第２の基板の前記第２の側上の前記内部キャビティ表面に形成され、
前記第１及び第２の伝導性結合構造が、前記第２の基板の前記第１の側に形成される、クロック装置。
【請求項６】
請求項５に記載のクロック装置であって、
前記伝導性内部キャビティ表面が、前記少なくとも１つのキャビティ側壁と前記キャビティ底部と前記第２の基板の前記第２の側とに少なくとも部分的に沿って延びる金属材料を用いてめっきされ、前記金属材料が前記電気出力信号の周波数における表皮深さより大きい厚みを有する、クロック装置。
【請求項７】
クロック装置であって、
蒸気セルであって、
伝導性内部キャビティ表面を備える密封された内部と、前記キャビティに電磁場入口を提供するための前記内部キャビティ表面における第１の非伝導性開口と、前記キャビティからの電磁場出口を提供するための前記内部キャビティ表面における前記第１の非伝導性開口から離間された第２の非伝導性開口とを含む、キャビティと、
前記キャビティの前記密封された内部の内側の双極分子ガスと、
前記第１の非伝導性開口の近くの前記蒸気セルの外側表面上に形成された第１の伝導性結合構造と、
前記第２の非伝導性開口の近くの前記蒸気セルの前記外側表面上に形成された第２の伝導性結合構造と、
を含む、前記蒸気セルと、
電磁場を前記キャビティの前記内部に結合するための前記第１の伝導性結合構造に交流電気出力信号を提供するトランシーバ回路であって、前記キャビティから受け取る前記電磁場を表す前記第２の伝導性結合構造からの交流電気入力信号を受け取り、前記電気入力信号を低減するように前記電気出力信号の周波数を選択的に調整し、前記電気出力信号の前記周波数において基準クロック信号を提供する、前記トランシーバ回路と、
を含み、
前記双極分子ガスが、前記キャビティの前記密封された内部の内側において、約１ｍｂａｒ又はそれ以下の圧力である、クロック装置。
【請求項８】
請求項７に記載のクロック装置であって、
前記双極分子ガスが、前記キャビティの前記密封された内部の内側で、約０．１ｍｂａｒ又はそれ以下の圧力であり、
前記双極分子ガスが、前記キャビティの前記密封された内部の内側で、約０．０１ｍｂａｒ又はそれ以上の圧力である、クロック装置。
【請求項９】
蒸気セルであって、
少なくとも１つの基板において形成されるキャビティであって、伝導性内部キャビティ表面を備える密封された内部と、前記キャビティに電磁場入口を提供するための前記内部キャビティ表面における第１の非伝導性開口と、前記キャビティに電磁場出口を提供するための前記内部キャビティ表面における前記第１の非伝導性開口から離間された第２の非伝導性開口とを含む、前記キャビティと、
前記キャビティの前記密封された内部の内側の双極分子ガスと、
前記第１の非伝導性開口に近い前記蒸気セルの外側表面上に形成される第１の伝導性結合構造と、
前記第２の非伝導性開口に近い前記蒸気セルの前記外側表面上に形成される第２の伝導性結合構造と、
を含み、
前記キャビティが、第１の端部から第２の端部へ非線形軸に沿って延び、前記第１の非伝導性開口が前記第１の端部に近く、前記第２の非伝導性開口が前記第２の端部に近い、蒸気セル。
【請求項１０】
蒸気セルであって、
少なくとも１つの基板において形成されるキャビティであって、伝導性内部キャビティ表面を備える密封された内部と、前記キャビティに電磁場入口を提供するための前記内部キャビティ表面における第１の非伝導性開口と、前記キャビティに電磁場出口を提供するための前記内部キャビティ表面における前記第１の非伝導性開口から離間された第２の非伝導性開口とを含む、前記キャビティと、
前記キャビティの前記密封された内部の内側の双極分子ガスと、
前記第１の非伝導性開口に近い前記蒸気セルの外側表面上に形成される第１の伝導性結合構造と、
前記第２の非伝導性開口に近い前記蒸気セルの前記外側表面上に形成される第２の伝導性結合構造と、
を含み、
前記キャビティが、前記キャビティへの別の電磁場入口を提供するための前記内部キャビティ表面における前記第１の非伝導性開口から離間された第３の非伝導性開口と、前記キャビティからの別の電磁場出口を提供するための前記内部キャビティ表面における前記第２の非伝導性開口から離間された第４の非伝導性開口とを更に含み、
前記第１の伝導性結合構造が前記第１及び第３の非伝導性開口に近く、
前記第２の伝導性結合構造が前記第２及び第４の非伝導性開口に近い、蒸気セル。
【請求項１１】
蒸気セルであって、
少なくとも１つの基板において形成されるキャビティであって、伝導性内部キャビティ表面を備える密封された内部と、前記キャビティに電磁場入口を提供するための前記内部キャビティ表面における第１の非伝導性開口と、前記キャビティに電磁場出口を提供するための前記内部キャビティ表面における前記第１の非伝導性開口から離間された第２の非伝導性開口とを含む、前記キャビティと、
前記キャビティの前記密封された内部の内側の双極分子ガスと、
前記第１の非伝導性開口に近い前記蒸気セルの外側表面上に形成される第１の伝導性結合構造と、
前記第２の非伝導性開口に近い前記蒸気セルの前記外側表面上に形成される第２の伝導性結合構造と、
前記蒸気セルの前記外側表面に沿って結合する電磁波を減衰するために、前記第１の伝導性結合構造と第２の伝導性結合構造との間に、前記第１の伝導性結合構造と第２の伝導性結合構造とから離間されて、前記蒸気セルの前記外側表面上に形成される、少なくとも１つの伝導性電子バンドギャップ構造と、
を含む、蒸気セル。
【請求項１２】
蒸気セルであって、
少なくとも１つの基板において形成されるキャビティであって、伝導性内部キャビティ表面を備える密封された内部と、前記キャビティに電磁場入口を提供するための前記内部キャビティ表面における第１の非伝導性開口と、前記キャビティに電磁場出口を提供するための前記内部キャビティ表面における前記第１の非伝導性開口から離間された第２の非伝導性開口とを含む、前記キャビティと、
前記キャビティの前記密封された内部の内側の双極分子ガスと、
前記第１の非伝導性開口に近い前記蒸気セルの外側表面上に形成される第１の伝導性結合構造と、
前記第２の非伝導性開口に近い前記蒸気セルの前記外側表面上に形成される第２の伝導性結合構造と、
第１の側と、前記第１の側の内方に向けて延びる少なくとも１つのキャビティ側壁と、キャビティ底部とを含む第１の基板と、
第１の側と、キャビティ頂部を含む第２の側とを含む第２の基板であって、前記少なくとも１つのキャビティ側壁と前記キャビティ底部と前記第２の基板の前記第２の側とに少なくとも部分的に沿って延びる前記伝導性内部キャビティ表面を備える前記密封された内部を含む前記キャビティを形成するように、前記第２の基板の前記第２の側が前記第１の基板の前記第１の側に取り付けられる、前記第２の基板と、
を含み、
前記第１及び第２の非伝導性開口が、それぞれ、前記電磁場入口及び出口を提供するために、前記第２の基板の前記第２の側の前記内部キャビティ表面に形成され、
前記第１及び第２の伝導性結合構造が、前記第２の基板の前記第１の側に形成される、蒸気セル。
【請求項１３】
蒸気セルであって、
少なくとも１つの基板において形成されるキャビティであって、伝導性内部キャビティ表面を備える密封された内部と、前記キャビティに電磁場入口を提供するための前記内部キャビティ表面における第１の非伝導性開口と、前記キャビティに電磁場出口を提供するための前記内部キャビティ表面における前記第１の非伝導性開口から離間された第２の非伝導性開口とを含む、前記キャビティと、
前記キャビティの前記密封された内部の内側の双極分子ガスと、
前記第１の非伝導性開口に近い前記蒸気セルの外側表面上に形成される第１の伝導性結合構造と、
前記第２の非伝導性開口に近い前記蒸気セルの前記外側表面上に形成される第２の伝導性結合構造と、
を含み、
前記双極分子ガスが、前記キャビティの前記密封された内部の内側において、約１ｍｂａｒ又はそれ以下の圧力である、蒸気セル。
【請求項１４】
請求項１３に記載の蒸気セルであって、
前記双極分子ガスが、前記キャビティの前記密封された内部の内側で、約０．１ｍｂａｒ又はそれ以下の圧力であり、
前記双極分子ガスが、前記キャビティの前記密封された内部の内側で、約０．０１ｍｂａｒ又はそれ以上の圧力である、蒸気セル。
【請求項１５】
蒸気セルであって、
少なくとも１つの基板において形成されるキャビティであって、伝導性内部キャビティ表面を備える密封された内部と、前記キャビティに電磁場入口を提供するための前記内部キャビティ表面における第１の非伝導性開口と、前記キャビティに電磁場出口を提供するための前記内部キャビティ表面における前記第１の非伝導性開口から離間された第２の非伝導性開口とを含む、前記キャビティと、
前記キャビティの前記密封された内部の内側の双極分子ガスと、
前記第１の非伝導性開口に近い前記蒸気セルの外側表面上に形成される第１の伝導性結合構造と、
前記第２の非伝導性開口に近い前記蒸気セルの前記外側表面上に形成される第２の伝導性結合構造と、
を含み、
前記伝導性内部キャビティ表面が、前記電気出力信号の周波数での表皮厚さより大きい厚みを有する金属材料を用いてめっきされる、蒸気セル。